(57)【要約】      （修正有）【課題】簡便な構成で光が走るように見える演出を行うことができる照明装置を得ることが目的である。【解決手段】ＬＥＤ１２Ａが設けられた支持板を駆動モータ２０によって移動させているため、ＬＥＤ１２Ａを点灯させながら支持板１４を移動させることで光が走るように照明（演出）することが可能である。また、支持板１４に設けられた導電板と、保持ケース１８に設けられた電気端子の一方が他方に付勢する構成としたため、移動する支持板１４に設けられたＬＥＤ１２Ａと電気端子との配線が簡単な構成になる。【選択図】図１
2007329101.tif 000002
【特許請求の範囲】
【請求項１】
光源と、
前記光源が設けられた支持体と、
所定の軌跡に沿って前記支持体を移動可能に保持する保持部材と、
前記支持体を移動させる駆動手段と、
を備えることを特徴とする照明装置。
【請求項２】
前記支持体に設けられ、当該支持体の移動方向に光源の光を分散させて、当該移動方向の全域あるいは一部から照射させる導光板を備えることを特徴とする請求項１記載の照明装置。
【請求項３】
複数の前記光源を備え、当該複数の光源は前記支持体の移動方向に離間して当該支持体に設けられていることを特徴とする請求項１または２記載の照明装置。
【請求項４】
複数の前記支持体を備え、複数の前記支持体は当該支持体の移動方向が平面視一直線上となるように配置されることを特徴とする請求項１〜３のいずれか１項記載の照明装置。
【請求項５】
前記支持体に設けられ、前記光源の給電端子に導通している導電体と、
前記保持部材の前記導電体側に摺動可能に設けられ、電源に導通している電気端子と、
を備えることを特徴とする請求項１〜４のいずれか１項記載の照明装置。
【発明の詳細な説明】
【技術分野】
【０００１】
本発明は、光を走らせる照明装置に関する。
【背景技術】
【０００２】
従来から発光ダイオード（以下、ＬＥＤという）を多数配置し、順次点灯あるいは消灯させることにより点灯部分が移動しているように見せるものがある（特許文献１参照）。
【特許文献１】特開平７−３３５００２号公報
【発明の開示】
【発明が解決しようとする課題】
【０００３】
しかしながら、上記先行技術はＬＥＤを多数個使用するため、コスト高になってしまうと共に、各ＬＥＤに二本ずつ配線が必要となり、配線が煩雑になってしまう不都合があった。
【０００４】
本発明は上記事実を考慮し、簡便な構成で光が走るように見える演出を行うことができる照明装置を得ることが目的である。
【課題を解決するための手段】
【０００５】
請求項１記載の本発明に係る照明装置は、光源と、前記光源が設けられた支持体と、所定の軌跡に沿って前記支持体を移動可能に保持する保持部材と、前記支持体を移動させる駆動手段と、を備えることを特徴とする。
【０００６】
請求項１記載の本発明によれば、光源を点灯させながら駆動手段によって支持体を移動させることで、光が走るように照明（演出）することが可能である。したがって、多数のＬＥＤを点滅制御して光を走らせるよう照明するものと比較して、光源が少数で済み、配線も簡単になる。しかも、多数のＬＥＤを点滅制御するものと比較して制御も簡略化される。
【０００７】
請求項２記載の本発明に係る照明装置は、請求項１記載の本発明に係る照明装置において、前記支持体に設けられ、当該支持体の移動方向に光源の光を分散させて、当該移動方向の全域あるいは一部から照射させる導光板を備えることを特徴とする。
【０００８】
請求項２記載の本発明によれば、導光板によって光源の光が、光源（支持体）の移動方向の全域あるいは一部に分散して照射されるため、様々な演出が可能となる。例えば、光源（支持体）の移動時に光源の移動方向後方側に光が分散して照射されるようにすることによって、光の残像が見えているような演出を行うことができる。
【０００９】
請求項３記載の本発明に係る照明装置は、請求項１または２記載の本発明に係る照明装置において、複数の前記光源を備え、当該複数の光源は前記支持体の移動方向に離間して当該支持体に設けられていることを特徴とする。
【００１０】
請求項３記載の本発明によれば、支持体の移動方向に沿って光源が複数配置されているため、多彩な照明制御を行うことができる。例えば、支持体を移動させるだけで、複数の光が走ったように見せる演出を行うことができる。
【００１１】
請求項４記載の本発明に係る照明装置は、請求項１〜３のいずれか１項記載の照明装置において、複数の前記支持体を備え、複数の前記支持体は当該支持体の移動方向が平面視一直線上となるように配置されることを特徴とする。
【００１２】
請求項４記載の本発明によれば、複数の支持体を支持体の移動方向が平面視一直線上となるように配置にすることにより、様々な光移動のパターンを演出することができる。例えば、一つの支持体（光源）の移動の後に隣接する支持体（光源）を移動させることにより、光源が連続して移動しているように見せることができる。すなわち、長い距離を光が移動するように見せることができる。
【００１３】
請求項５記載の本発明に係る照明装置は、請求項１〜４のいずれか１項記載の本発明に係る照明装置において、前記支持体に設けられ、前記光源の給電端子に導通している導電体と、前記保持部材の前記導電体側に摺動可能に設けられ、電源に導通している電気端子と、を備えることを特徴とする。
【００１４】
請求項５記載の本発明によれば、電源に導通している保持部材の電気端子が、支持体に設けられ光源の給電端子に導通している導電体に摺動可能に構成したため、移動する支持体上に設けられた光源に対する電源からの導通を確実にすると共に配線を簡略化できる。
【発明の効果】
【００１５】
以上説明したように、本発明に係る照明装置は、簡便な構成で光が走るように見える演出を行うことができる
【発明を実施するための最良の形態】
【００１６】
〔第１実施形態〕
本発明に係る照明装置の第１実施形態について図１〜図９を参照して説明する。ここで、図１は照明装置の概略構成図であり、図２〜図４は図１における２−２線、３−３線、４−４線断面図である。以下、図１における矢印Ｘ１方向を右、矢印Ｘ２方向を左、図２〜図４における矢印Ｚ１方向を上、矢印Ｚ２方向を下として説明することがある。
【００１７】
本実施形態に係る照明装置１０は、図１および図２に示すように、光源であるＬＥＤ１２Ａ、１２Ｂと、ＬＥＤ１２Ａ、１２Ｂが設けられた支持板１４と、支持板１４の下面に設けられた導電体１６Ａ〜１６Ｃと、支持板１４を移動可能に保持する保持ケース１８と、支持板１４を移動させる駆動モータ２０とから基本的に構成される。
【００１８】
支持板１４は、図２に示すように、断面略Ｔの字型であり、これに直交する方向（以下、長手方向（Ｘ方向）という）に延在する構造である。この支持板１４の上面１４Ａには、図１に示すように、その長手方向両端部にＬＥＤ１２Ａ、１２Ｂが配設されている。
【００１９】
また、支持板１４の下面１４Ｂ側には、図２に示すように、長手方向と直交する短手方向両端部にリブ２２Ａ、２２Ｂ、短手方向中央部に凸部２４、リブ２２Ａ、２２Ｂと凸部２４の間の凹部２６Ａ、２６Ｂがそれぞれ長手方向に延在して形成されている。凹部２６Ａには長手方向に延在する共通導電体１６Ａ、凹部２６Ｂには長手方向に延在するＬＥＤ１２Ａ、１２Ｂ用の各導電体１６Ｂ、１６Ｃがそれぞれ長手方向の略全長にわたって配設されている。各ＬＥＤ１２Ａ、１２Ｂは、図３に示すように、それぞれリード線２８Ａ、３０Ａ（給電端子）によって共通導電体１６Ａに、リード線２８Ｂ、３０Ｂ（給電端子）によって各導電体１６Ｂ、１６Ｃに接続されている。
【００２０】
なお、リブ２２Ａ、２２Ｂには、図３に示すように、ＬＥＤ１２Ａの位置で下方に突出した当接部２３Ａ、２３Ｂが形成されており、保持ケース１８の後述する下壁４６Ａ、４６Ｂに当接するように構成されている。これによって、支持板１４が保持ケース１８内を安定的に移動可能とされている。
【００２１】
さらに、支持板１４の下面１４Ｂに形成された凸部２４の下端面には、ラック３２が形成され、駆動モータ２０の駆動軸３４の先端に設けられたピニオン３６と噛合されている。すなわち、駆動モータ２０が駆動されることにより支持板１４が保持ケース１８内を長手方向に移動可能と構成されている。
【００２２】
さらにまた、支持板１４の上面１４Ａには、長手方向に延在し透明樹脂から形成された導光板３８が配設され、その上面にハーフミラーフィルム４０が配設されている。なお、支持板１４の上面１４Ａは、反射面処理され、導光板３８が光を導き易くされている。
【００２３】
また、支持板１４の上面１４Ａに配設されたＬＥＤ１２Ａ、１２Ｂは、図３に示すように、導光板３８の中に埋め込まれている。
【００２４】
一方、保持ケース１８は透明樹脂から形成され、図３に示すように、上壁４１、側壁４３Ａ、４３Ｂ、下壁４６Ａ、４６Ｂで略矩形体形状に構成され、内部に長手方向に延在する孔部４２が形成されている。この孔部４２に支持板１４が進入することにより、支持板１４が長手方向にガイドされる構成である。また、下壁４６Ａ、４６Ｂ間には、支持板１４の凸部２４が進入して移動可能なように長手方向に延在する開口部４４が形成されている。
【００２５】
また、保持ケース１８の下壁４６Ａ、４６Ｂには、導電体１６Ａ〜１６Ｃに対向する部位の後述する始点近傍位置に、図４に示すように、導電体１６Ａ〜１６Ｃ側に付勢され図示しない電源に接続された電気端子４８Ａ〜４８Ｃが設けられている。したがって、支持板１４の導電体１６Ａ〜１６Ｃに常に電気端子４８Ａ〜４８Ｃが接続される構成とされている。
【００２６】
さらにまた、保持ケース１８は、図１に示すように、車両の表層部材（例えば、トリム、パネル等）４９の内部に格納され、表層部材４９に設けられた開口部５０から保持ケース１８の長手方向両端部を除いた中央部分のみが視認可能に構成される。また、支持板１４の長手方向長さよりも開口部５０の長手方向長さの方が短く、支持板１４が最も右側に寄った位置（保持ケース１８内に完全に収納された位置：図６（Ｃ）においてＬＥＤ１２Ａが終点位置）にあるときは、支持板１４の中央部分が開口部５０から見え、ＬＥＤ１２Ａ、１２Ｂは開口部５０から見えないことになる。また、支持板１４が最も左側に寄った位置（図６（Ａ）においてＬＥＤ１２Ａが始点位置）にあるときは支持板１４が開口部５０から見えないことになる。
【００２７】
なお、照明装置１０のＬＥＤ１２Ａ、１２Ｂおよび駆動モータ２０は、ＥＣＵ５２によって制御される(図１参照)。このＥＣＵ５２の制御は、本実施形態の作用として説明する。
【００２８】
このように構成される照明装置１０は、図７〜図９に示すように、車両の内側あるいは外側に配設される。車室内であれば、例えば図７に示すように、ドアライン照明１０Ａ、インパネライン照明１０Ｂ、センタークラスターライン照明１０Ｃ、ルーフライン照明１０Ｄ、インナースカッフライン照明１０Ｅとして適用され、車の外装であれば、例えば図８および図９に示すように、グリルライン照明１０Ｆ、バンパーモール照明１０Ｇ、サイドモール照明１０Ｈ、ライセンスカバー照明１０Ｉ、ドアフレーム照明１０Ｊとして適用することができる。
【００２９】
この場合、各照明１０Ａ〜１０Ｊの長手方向が図１のＸ方向に相当し、保持ケース１８の上壁４１の表面が照射方向を向くように照明装置が配置される。
【００３０】
（本実施形態の作用並びに効果）
次に、本実施形態の作用並びに効果についてＥＣＵ５２による制御を含めて説明する。
【００３１】
先ず、ＥＣＵ５２の制御について説明する。ＥＣＵ５２は、駆動モータ２０に駆動信号を出力して駆動モータ２０を駆動させて支持板１４を一定速度で右方向に移動させると共に、図５に示すように、ＬＥＤ１２Ａの光源照度を１００％に上げる。ＬＥＤ１２Ａが終点位置に到達するまでＬＥＤ１２Ａの光源照度は１００％に維持する。一方、ＬＥＤ１２Ａが開口部５０の略中央に到達するタイミングからＬＥＤ１２Ｂの光源照度を徐々に上げ始め、ＬＥＤ１２Ａの位置が開口部５０の右端（以下、Ｐ点という）に到達した時点で光源照度が１００％になるようにし、ＬＥＤ１２Ａが終点位置に到達するまでその光源照度を維持する。
【００３２】
上記制御の結果、照明装置１０は、次のように動作する。先ず、初期状態では、図６（Ａ）に示すように、保持ケース１８の左端に支持板１４の右端（ＬＥＤ１２Ａ近傍）のみが進入した状態であり、開口部５０には支持板１４が進入してない状態である（このときのＬＥＤ１２Ａの位置を始点とする）。
【００３３】
始点から動き支持板１４が右に移動を開始した時点でＬＥＤ１２Ａの光源照度が短時間で１００％になるため、ＬＥＤ１２Ａが開口部５０内に到達した時点で光源照度は１００％に到達している。なお、ＬＥＤ１２Ａの光は、導光板３８内を左側に伝達され、支持板１４の半分程度の長さの光った範囲（以下、照明範囲Ａという）を作る。この照明範囲Ａが開口部５０内を右側に進行していくことが視認される (図６（Ｂ）参照)。一方、ＬＥＤ１２Ｂは、図５に示すように、ＬＥＤ１２Ａが開口部５０の略半分の位置を通過した時点から光源照度を上げ始め、ＬＥＤ１２Ａが開口部５０の右端（Ｐ点）を通過した時点で光源照度を１００％とする。ＬＥＤ１２Ｂの光も導光板３８内を介して右側に延び、光った範囲（以下、照明範囲Ｂという）を形成する。したがって、支持板１４が右側に移動していくにつれて（ＬＥＤ１２Ｂの光源照度が上昇するに従って）照明範囲Ｂが広がり、支持板１４が保持ケース１８の右端（ＬＥＤ１２Ａが終点）まで到達すると、後側から広がってきたＬＥＤ１２Ｂによる照明範囲ＢがＬＥＤ１２Ａの照明範囲Ａにつながって、開口部５０の全体が一つの照明範囲Ｃとなり、ライン照明のように全体として光ることになる(図６（Ｃ）参照)。この際、ＬＥＤ１２Ａ、１２Ｂが開口部５０から見えないため、開口部５０は均一に光ることになる。
【００３４】
このように本実施形態に係る照明装置１０では、ＬＥＤ１２Ａを搭載した支持板１４を移動させることによって光を走らせる照明（演出）を行っている。したがって、ＬＥＤを多数並べて点滅のタイミングを制御することによって光を走らせる照明制御していた場合と比較して使用するＬＥＤの数が少なく、配線が簡略化されると共に、光の移動速度も駆動モータ２０の制御を変更すれば良いだけなので制御の負荷も軽くなる。
【００３５】
また、本実施形態では、ＬＥＤ１２Ａ、１２Ｂのリード線２８Ａ、２８Ｂ、３０Ａ、３０Ｂを長手方向に延在する導電板１６Ａ〜１６Ｃに接続させ、保持ケース１８に設けられた電気端子４８Ａ〜４８Ｃを導電板１６Ａ〜１６Ｃ側に付勢させて接続させることにより移動する支持板１４上のＬＥＤ１２Ａ、１２Ｂに対する電気接続を確実にすると共に配線を一層簡略化させている。
【００３６】
さらに、支持板１４の長手方向両端に設けられたＬＥＤ１２Ａ、１２Ｂの光が導光板３８によって長手方向に分散されて照明範囲Ａ、Ｂで光る構成とされているため、ＬＥＤ１２Ａが開口部５０内を移動することにより光が走ったように見えた後、ＬＥＤ１２Ａの照明範囲ＡとＬＥＤ１２Ｂの照明範囲Ｂが一つになった照明範囲Ｃが開口部全体を均一に照明し、光が走った後の残像のように見えるという演出効果を有する。
【００３７】
上記のように作用する照明装置１０は、実際の車両に使用された照明１０Ａ〜１０Ｊでは、次のように照明して使用することが考えられる。
【００３８】
例えば、ドアライン照明１０Ａ、インパネライン照明１０Ｂ、センタークラスターライン照明１０Ｃ、ルーフライン照明１０Ｄは、イグニッションオン時に光が右へ走ってライン全体が点灯し、イグニッションオフ時に光（例えばＬＥＤ１２Ａ、１２Ｂの光源照度が１００％）が左に走って消灯するという照明制御を行うことができる。
【００３９】
また、インナースカッフライン照明１０Ｅは、ドア開放時に光を右へ走らせ、ドアを閉塞時に光を消滅させると共に支持板１４を初期位置に戻す照明制御を行うことができる。
【００４０】
さらに、グリルライン照明１０Ｆ、バンパーモールライン照明１０Ｇ、サイドモールライン照明１０Ｈ、ライセンスカバー照明１０Ｉは、ドアロック解除時あるいは乗員認知（アンサーバック）時に光を走らせライン全体を点灯、１５秒後に消灯させる照明制御を行うことができる。
【００４１】
さらにまた、ドアフレーム照明１０Ｊは、ドア開放時に光が車体上方に走らせる照明制御を行うことにより、ドアフレームのエッジ部分を強調してドアエッジ位置をユーザーに認知させることができる。
【００４２】
〔第２実施形態〕
次に、本発明の第２実施形態に係る照明装置について図１０を参照して説明する。本実施形態の照明装置の構成は第１実施形態と同一であり、照明制御方法のみが異なる。第1実施形態と同様の構成要素には同様の参照符号を付し、その説明を省略する。
【００４３】
照明装置１０のＥＣＵ５２は、駆動モータ２０によって支持板１４を右方向に移動させると共に、ＬＥＤ１２Ａの光源照度を１０％と１００％の間で切り替えを繰り返してＰ点まで移動させる。
【００４４】
一方、ＬＥＤ１２Ｂは、ＬＥＤ１２Ａが始点からＰ点に到達するまでに光源照度を１００％まで上げる。ＬＥＤ１２ＡがＰ点まで到達すると、駆動モータ２０を逆回転させ反対方向に支持板１４を移動させる。この際、ＬＥＤ１２Ａ、１２Ｂは、それぞれ右側に移動する場合とは全く逆に光源照度を変化させる。さらに、ＬＥＤ１２Ａが開口部５０の左端（以下、Ｎ点という）に到達すると、再び反対方向へ支持板１４を移動させる。以下、これを繰り返す(図１０、反復範囲参照)。
【００４５】
したがって、開口部５０では、先ず、ＬＥＤ１２Ａの光が照度の強弱を変化させながら右に走るように見え、続いてライン全体が光るように見えた後、ＬＥＤ１２Ａの光が強弱をつけながら左に走るように見え、ライン全体は暗くなる。この動作を繰り返すことにより、不審者に対する威嚇および外部に対する異常報知としてのライン照明が行える。すなわち、ライン全体と部分が異なる周期で点滅する演出となる。
【００４６】
〔第３実施形態〕
次に、本発明の第３実施形態に係る照明装置について図１１を参照して説明する。本実施形態の照明装置は、第１実施形態の照明装置を複数組み合わせて使用したものとして把握することができる。第1実施形態と同様の構成要素には同様の参照符号を付し、その説明を省略する。
【００４７】
この照明装置６０は、単位照明装置１０Ｋと単位照明装置１０Ｌを図１１（Ｂ）に示すように平面視において長手方向に一直線上に連続して配置したものである。単位照明装置１０Ｋ、１０Ｌは、ＥＣＵを共通化させている点を除くと、第１実施形態の照明装置１０と略同様の構成である。ただし、図１１（Ａ）に示すように、照明装置１０Ｋの保持ケース１８Ａに収納される支持板１４Ａと、単位照明装置１０Ｌの保持ケース１８Ｂに収納された支持板１４Ｂが異なる高さ（Ｚ方向位置）に配置されたものである。なお、部材の開口部５０Ａは、単位照明装置１０Ｋ、１０Ｌに対する一つ（共通）の開口部であり、支持板１４ＡのＬＥＤ１２Ｃ、支持板１４ＢのＬＥＤ１２Ｅが終点位置のときに、ＬＥＤ１２Ｄ、１２Ｅが開口部５０Ａから見えないように構成されている。なお、支持板１４Ｂ上のＬＥＤ１２Ｅ、１２Ｆの光は、透明な保持ケース１８Ａを介して開口部５０Ａから視認可能である。
【００４８】
このように構成される照明装置６０は、図１１（Ｃ）に示すように、図示しないＥＣＵの制御によって、先ず、単位照明装置１０Ｋの駆動モータを駆動して支持板１４Ａを右側に移動させると共に、ＬＥＤ１２Ｃの光源照度を１００％にすることによって、第1実施形態と同様に開口部５０Ａ内を一定の照明範囲を有しつつ光が右側に移動していく。一方、ＬＥＤ１２Ｄは、ＬＥＤ１２Ｃが始点〜終点間の距離の略半分を通過した時点から点灯を開始してＬＥＤ１２Ｃが終点に到達するまでに光源照度を４０％程度まで増加させる。ＬＥＤ１２Ｃが終点に到達すると、ＬＥＤ１２Ｃは消灯されると共に、ＬＥＤ１２Ｄはその後も徐々に光源照度が上昇されていく。
【００４９】
一方、ＬＥＤ１２Ｃが終点に到達したタイミングで単位照明装置１０Ｌの駆動モータが駆動され、支持板１４Ｂが右側に移動を開始し、支持板１４ＢのＬＥＤ１２Ｅの光源照度が１００％とされると共に、ＬＥＤ１２ＥがＰ点に到達するまでにＬＥＤ１２Ｆの光源照度を４０％程度から１００％までに上げていく。この結果、支持板１４Ｂの導光板によって照明装置１０Ｌは全体が均一に照明されている状態となる。また、単位照明装置１０ＫのＬＥＤ１２Ｄの光源照度もそれまでに１００％とされる。この結果、支持板１４Ａ上の導光板によって照明装置１０Ｋも全体が均一に照明されている状態となる。すなわち、ＬＥＤ１２Ｅ（支持板１４Ｂ）が終点に到達した時点で開口部５０Ａはライン全体が照明されていることになる。
【００５０】
このように照明装置６０は、２つの単位照明装置１０Ｋ、１０Ｌをあたかも一本の照明装置のように制御することで、長いラインを光が走る照明制御が可能になると共に、その後、ライン全体が均一に光って残像が見えるような演出も可能である。したがって、例えば、第1実施形態で説明した車両の外装のライン照明に適用することができる。
【００５１】
〔第４実施形態〕
次に、本発明の第４実施形態に係る照明装置について説明する。第３実施形態と同様の構成要素には同様の参照符号を付し、その説明を省略する。
【００５２】
照明装置６２は、第３実施形態の照明装置６０と略同様であり、ＥＣＵによる制御を除き異なるのは部材の開口部５０Ｂ、５０Ｃがそれぞれ単位照明装置１０Ｋ、１０Ｌに対応して設けられている点のみである(図１２（Ａ）（Ｂ）参照)。
【００５３】
すなわち、照明装置６２では、先ず、支持板１４Ａを右側に移動させながら、ＬＥＤ１２Ｃの光源照度を１００％にすると共に、ＬＥＤ１２Ｃが開口部５０Ｂのほぼ中央に位置したところからＬＥＤ１２ＣがＰ点に到達するまでの間にＬＥＤ１２Ｄの光源照度を１００％にする。
【００５４】
続いて、ＬＥＤ１２Ｃが終点に到達したタイミングで単位照明装置１０Ｌを単位照明装置１０Ｋと同様に照明制御する。この結果、開口部５０Ａを光が右側に走った後、ライン全体が均一になると共に、開口部５０Ｂを光が右側に走っていく演出を行うことができる。すなわち、光が順次走っていくという演出ができる。
【００５５】
〔第５実施形態〕
次に、本発明の第５実施形態に係る照明装置について説明する。第１実施形態と同様の構成要素には同様の参照符号を付し、その説明を省略する。
【００５６】
照明装置６４は、図１３（Ａ）、（Ｂ）に示すように、二本の単位照明装置１０Ｍ、１０Ｎを向かい合わせに（図１のＸ１、Ｘ２が逆になるように）一直線上に並べたものである。単位照明装置１０Ｋ、１０Ｌは、ＥＣＵを共通化させている点を除くと、第１実施形態の照明装置１０と略同様の構成である。
【００５７】
照明装置６４では、同一タイミングで支持板１４Ｃ、１４Ｄを互いに接近させるように移動させながら、ＬＥＤ１２Ｇ、１２Ｉの光源照度を１００％にすると共に、ＬＥＤ１２Ｇ、Ｉが開口部５０Ｄ、５０Ｅのほぼ中央に位置したところからＬＥＤ１２Ｇ、１２ＩがそれぞれＰ点に到達するまでの間にＬＥＤ１２Ｈ、１２Ｊの光源照度を１００％にする。
【００５８】
この結果、単位照明装置１０Ｍ、１０Ｎの双方の光（照明範囲）が接近するように走り、最後にライン全体が光るように演出することができる。
【図面の簡単な説明】
【００５９】
【図１】本発明の第１実施形態に係る照明装置の概略平面図である。
【図２】図１における２−２線断面図である。
【図３】図１における３−３線断面図である。
【図４】図１における４−４線断面図である。
【図５】本発明の第１実施形態に係る照明装置のＬＥＤ移動位置に対する光源照度の関係を示すグラフである。
【図６】本発明の第１実施形態に係る照明装置の、（Ａ）は移動前、（Ｂ）は移動中、（Ｃ）は移動後の各照明状態を示した図である。
【図７】本発明の第１実施形態に係る照明装置の車室内への適用例を示した図である。
【図８】本発明の第１実施形態に係る照明装置の車両の外装への適用例を示した図である。
【図９】本発明の第１実施形態に係る照明装置の車両の外装への適用例を示した図である。
【図１０】本発明の第２実施形態に係る照明装置のＬＥＤ移動位置に対する光源照度の関係を示すグラフである。
【図１１】本発明の第３実施形態に係る照明装置の、（Ａ）は概略構成、（Ｂ）は移動後の照明状態、（Ｃ）はＬＥＤ移動位置に対する光源照度の関係を示す図である。
【図１２】本発明の第４実施形態に係る照明装置の、（Ａ）は概略構成、（Ｂ）は移動後の照明状態、（Ｃ）はＬＥＤ移動位置に対する光源照度の関係を示す図である。
【図１３】本発明の第５実施形態に係る照明装置の、（Ａ）は概略構成、（Ｂ）は移動後の照明状態、（Ｃ）は一方の単位照明装置のＬＥＤ移動位置に対する光源照度の関係、（Ｄ）は他方の単位照明装置のＬＥＤ移動位置に対する光源照度の関係を示す図である。
【符号の説明】
【００６０】
１０、６０、６２、６４      照明装置
１２Ａ、１２Ｂ    ＬＥＤ（光源）
１４      支持板
１８      保持ケース（保持部材）
１６Ａ〜１６Ｃ      導電板（導電体）
２４      駆動モータ（駆動手段）
２８Ａ、２８Ｂ、３０Ａ、３０Ｂ      リード線（給電端子）
４８Ａ〜４８Ｃ      電気端子
【図１】
2007329101.tif 000003
【図２】
2007329101.tif 000004
【図３】
2007329101.tif 000005
【図４】
2007329101.tif 000006
【図５】
2007329101.tif 000007
【図６】
2007329101.tif 000008
【図７】
2007329101.tif 000009
【図８】
2007329101.tif 000010
【図９】
2007329101.tif 000011
【図１０】
2007329101.tif 000012
【図１１】
2007329101.tif 000013
【図１２】
2007329101.tif 000014
【図１３】
2007329101.tif 000015